【誤訳訂正書】
【提出日】平成25年2月6日(2013.2.6)
【誤訳訂正１】
【訂正対象書類名】特許請求の範囲
【訂正対象項目名】全文
【訂正方法】変更
【訂正の内容】
【特許請求の範囲】
【請求項１】
無線ネットワーク上で伝送されたデータパケットからデータを抽出する方法であって、
（ｉ）第一の既知の拡散シーケンスと組み合わされて使用される第一のカバーコード及び（ｉｉ）第二の既知の拡散シーケンスと組み合わされて使用される第二のカバーコードを含むプリアンブル部と、ペイロード部とを有するデータパケットを受信する段階と、
第一のタイミング信号を生成するために、前記プリアンブル部を前記第一の既知の拡散シーケンスと相互相関する段階と、
フレームタイミング信号を生成するために、前記プリアンブル部を前記第二の既知の拡散信号と相互相関する段階と、
前記第一のタイミング信号におけるインパルスを検出する段階と、
前記第一のタイミング信号の前記検出したインパルスに基づいて、第一のタイミングパラメータを設定する段階と、
前記フレームタイミング信号におけるインパルスを検出する段階と、
前記フレームタイミング信号における前記検出したインパルスに基づいて、フレームタイミングパラメータを設定する段階と、
前記設定した第一のタイミングパラメータおよび前記設定したフレームタイミングパラメータに従って、前記受信したペイロード部からデータを抽出する段階と、
前記プリアンブル部において前記第一の既知の拡散シーケンス及び前記第二の既知の拡散シーケンスによって伝送されたカバーコードの少なくとも一方から、１以上の物理層パラメータを抽出する段階と、
を含む方法。
【請求項２】
前記第一の既知の拡散シーケンスを用いて伝送された前記プリアンブル部の第一部は、前記プリアンブル部の同期セグメントに対応し、
前記第二の既知の拡散シーケンスを用いて伝送された前記プリアンブル部の第二部は、前記プリアンブル部の開始フレームデリミタセグメントに対応する、
請求項１に記載の方法。
【請求項３】
前記１以上の物理層パラメータは、前記第二のカバーコードを用いて設定される、
請求項２に記載の方法。
【請求項４】
前記第一のカバーコードは、前記同期セグメントの全範囲において反復され、
前記第二のカバーコードは、前記開始フレームデリミタセグメントの前記開始部において二度反復され、
前記第二のカバーコードが、前記第一のカバーコードを相補する、
請求項２に記載の方法。
【請求項５】
前記１以上の物理層パラメータは、前記二度反復された第二のカバーコードに続いて、前記第二の既知の拡散シーケンスにより伝送されたカバーコードから抽出される、
請求項４に記載の方法。
【請求項６】
前記第一の既知の拡散シーケンスおよび前記第二の既知の拡散シーケンスの各々が、送信器および受信器の両方に既知である疑似乱数である、
請求項１から請求項５までの何れか一項に記載の方法。
【請求項７】
前記第一の既知の拡散シーケンスが、第一のゴーレイシーケンスであり、
前記第二の既知の拡散シーケンスが、第二のゴーレイシーケンスであり、前記第二のゴーレイシーケンスが、前記第一のゴーレイシーケンスの相補的なシーケンスである、
請求項１から請求項６までの何れか一項に記載の方法。
【請求項８】
受信されたプリアンブル部において拡散シーケンスが用いられた順序に基づいて、前記第一のタイミングパラメータ及び前記フレームタイミングパラメータとは異なる第３のパラメータを確定する段階をさらに含む、
請求項１から請求項７までの何れか一項に記載の方法。
【請求項９】
前記１つ以上の物理層パラメータが、ネットワークＩＤナンバーパラメータ、およびピコネットＩＤナンバーから成る群から選択されたパラメータを含む、
請求項１から請求項８の何れか一項に記載の方法。
【請求項１０】
前記第一のタイミング信号Ｃ１（ｎ）は、以下の式
【数１】
2011521557.tif 000001
に従って算出され、
式中、
ａは、前記第一の既知の拡散シーケンスであり、
ｒは、受信信号であり、
Ｎは、前記第一の既知の拡散シーケンス長であり、
前記フレームタイミング信号Ｃ２（ｎ）は、以下の式に従って算出され、
【数２】
2011521557.tif 000002
式中、
ｂは、前記第二の既知の拡散シーケンスであり、
Ｍは、前記第二の既知の拡散シーケンス長である、
請求項１から請求項９までの何れか一項に記載の方法。
【請求項１１】
前記データパケットが、広帯域無線システム、６０ギガヘルツ広帯域無線システム、ＷＬＡＮ、ＷｉＭａｘ、ＷＰＡＮ、セルラーシステムから成る群から選択された無線システム上で受信される、
請求項１から請求項１０までの何れか一項に記載の方法。
【請求項１２】
データパケットからデータを抽出するように構成された無線受信器であって、
（ｉ）第一の既知の拡散シーケンスと組み合わされて使用される第一のカバーコード及び（ｉｉ）第二の既知の拡散シーケンスと組み合わされて使用される第二のカバーコードを含むプリアンブル部と、ペイロード部とを有するデータパケットを受信するアンテナと、
記号タイミング信号を生成するために、前記プリアンブル部を前記第一の既知の拡散シーケンスと相互相関するように構成された第一の相互相関器と、
フレームタイミング信号を生成するために、前記プリアンブル部を前記第二の既知の拡散シーケンスと相互相関するように構成された第二の相互相関器と、
前記記号タイミング信号におけるインパルスを検出するように構成された第一のインパルス検出器と、
前記フレームタイミング信号におけるインパルスを検出するように構成された第二のインパルス検出器と、
前記第一のインパルス検出器による前記記号タイミング信号における前記検出したインパルスに基づいて、記号タイミングパラメータを設定するように構成され、かつ前記第二のインパルス検出器により検出された、前記フレームタイミング信号における前記検出したインパルスに基づいて、フレームタイミングパラメータを設定するように構成されたパラメータ設定器と、
前記設定した記号タイミングパラメータおよび前記設定したフレームタイミングパラメータに従って、前記受信したペイロード部からデータを抽出するように構成されたデータ抽出器と、
前記プリアンブル部において前記第一の既知の拡散シーケンス及び前記第二の既知の拡散シーケンスを用いて伝送されたカバーコードの少なくとも一方から、１以上の物理層パラメータを抽出するように構成されたカバーコードデコーダと、
を備える無線受信器。
【請求項１３】
前記第一の既知の拡散シーケンスを用いて伝送された前記プリアンブル部の第一部は、前記プリアンブル部の同期セグメントに対応し、
前記第二の既知の拡散シーケンスを用いて伝送された前記プリアンブル部の第二部は、前記プリアンブル部の開始フレームデリミタセグメントに対応する、
請求項１２に記載の無線受信器。
【請求項１４】
前記１以上の物理層パラメータは、前記第二のカバーコードを用いて設定される、
請求項１３に記載の無線受信器。
【請求項１５】
前記第一のカバーコードは、前記同期セグメントの全範囲において反復され、
第二のカバーコードは、前記開始フレームデリミタセグメントの前記開始部において二度反復され、
前記第二のカバーコードが、前記第一のカバーコードを相補する、
請求項１３に記載の無線受信器。
【請求項１６】
前記カバーコードデコーダは、前記二度反復された第二のカバーコードの受信に続いて、前記第二の既知の拡散シーケンスを用いて伝送されたカバーコードから、前記１以上の物理層パラメータを抽出する、
請求項１５に記載の無線受信器。
【請求項１７】
前記第一の既知の拡散シーケンスおよび前記第二の既知の拡散シーケンスの各々が、送信器および受信器の両方に既知である疑似乱数である、
請求項１２から請求項１６までの何れか一項に記載の無線受信器。
【請求項１８】
前記第一の既知の拡散シーケンスが、第一のゴーレイシーケンスであり、
前記第二の既知の拡散シーケンスが、前記第一のゴーレイシーケンスを相補する第二のゴーレイシーケンスである、
請求項１７に記載の無線受信器。
【請求項１９】
前記パラメータ設定器は、受信されたプリアンブル部において拡散シーケンスが用いられた順序に基づいて、前記第一のタイミングパラメータ及び前記フレームタイミングパラメータとは異なる第３のパラメータを確定する、
請求項１２から請求項１８までの何れか一項に記載の無線受信器。
【請求項２０】
前記１つ以上の物理層パラメータが、ネットワークＩＤナンバーパラメータ、およびピコネットＩＤナンバーから成る群から選択されたパラメータを含む、
請求項１２から請求項１９までの何れか一項に記載の無線受信器。
【誤訳訂正２】
【訂正対象書類名】明細書
【訂正対象項目名】００１４
【訂正方法】変更
【訂正の内容】
【００１４】
第一のカバーコードは、同期セグメントの全範囲において反復され得て、第二のカバーコードは、開始フレームデリミタセグメントの開始部において二度反復され、第二のカバーコードが第一のカバーコードを補完（又は相補）する。フレームタイミングパラメータ以外の１つ以上のパラメータは、二度反復された第二のカバーコードに続いて、第二の既知の拡散シーケンスを用いて伝送されたカバーコードから抽出され得る。第一の既知の拡散シーケンスは第一のゴーレイシーケンスとなり得、第二の既知の拡散シーケンスが、第一のゴーレイシーケンスを補完（又は相補）する第二のゴーレイシーケンスとなり得る。１つ以上の物理層パラメータが、プリアンブル部において第一の既知の拡散シーケンスまたは第二の既知の拡散シーケンスを用いて伝送されたカバーコードから抽出され得る。
【誤訳訂正３】
【訂正対象書類名】明細書
【訂正対象項目名】００１８
【訂正方法】変更
【訂正の内容】
【００１８】
第一のカバーコードは、同期セグメントの全範囲において反復され得、第二のカバーコードは、開始フレームデリミタセグメントの開始部において二度反復され、第二のカバーコードは第一のカバーコードを補完（又は相補）する。フレームタイミングパラメータ以外の１つ以上のパラメータは、二度反復された第二のカバーコードに続いて、第二の既知の拡散シーケンスを用いて伝送されたカバーコードから抽出され得る。第一の既知の拡散シーケンスが第一のゴーレイシーケンスとなり得、第二の既知の拡散シーケンスが第一のゴーレイシーケンスを補完（又は相補）する第二のゴーレイシーケンスとなり得る。１つ以上の物理層パラメータは、プリアンブル部において第一の既知の拡散シーケンスまたは第二の既知の拡散シーケンスを用いて伝送されたカバーコードから抽出され得る。
【誤訳訂正４】
【訂正対象書類名】明細書
【訂正対象項目名】００１９
【訂正方法】変更
【訂正の内容】
【００１９】
【図１】スペクトラム拡散送信器を示すブロック図である。
【図２】伝送チェーンにおける異なる位置において拡散シーケンスを投入するシステムを示すブロック図である。
【図３】例示的なパケットフォーマットを示す図である。
【図４】例示的なパケットプリアンブルフォーマットを示す図である。
【図５】８０２．１５．３ｃ単一キャリアフレームフォーマットを示す図である。
【図６】８０２．１５．３ｃＯＦＤＭフレームフォーマットを示す図である。
【図７】パケットのプリアンブル部における例示的な拡散シーケンスおよびカバーコード設計を示す図である。
【図８】ＳＹＮＣセグメントおよびＳＦＤセグメント用の異なる拡散シーケンスを有する、パケットのプリアンブル部における例示的な拡散シーケンスおよびカバーコード設計を示す図である。
【図９】ＳＹＮＣセグメントおよびＳＦＤセグメント用の異なる拡散シーケンスを用いたパケットにおける例示的な相互相関の結果を示す図である。
【図１０】受信器を示すブロック図である。
【図１１】タイミング検出器の構成要素を詳細に示すブロック図である。
【図１２】ＳＦＤセグメントの最初の２つのスロットに伝送された補完的な（又は相補的な）カバーコードを有するパケットのプリアンブル部における例示的な拡散シーケンスおよびカバーコード設計を示す図である。
【図１３】ＳＹＮＣセグメントおよびＳＦＤセグメント並びにＳＦＤセグメントの最初の２つのスロットに伝送された補完的な（又は相補的な）カバーコードのための異なる拡散シーケンスを有するパケットのプリアンブル部における例示的な拡散シーケンスおよびカバーコード設計を示す図である。
【図１４】無線ネットワーク上で伝送された受信データパケットからデータを抽出するプロセスを説明するフローチャートである。
【図１５】無線ネットワーク上で伝送された受信データパケットからデータを抽出する別のプロセスを説明するフローチャートである。
【誤訳訂正５】
【訂正対象書類名】明細書
【訂正対象項目名】００２４
【訂正方法】変更
【訂正の内容】
【００２４】
利用された拡散シーケンスの両方が送信器および受信器に対して既知であることから、図８を参照して示すプリアンブルフレームフォーマットを用いるシステムにおいて、ＳＹＮＣ／ＳＦＤ境界は、相互相関技術を利用して検出され得る。より具体的には、受信信号と既知の拡散信号との相互相関により、受信信号におけるその拡散シーケンスの各反復の開始部においてインパルスが生成される。このようなインパルスの検出によって、フレームの開始部およびＳＹＮＣ／ＳＦＤ境界が識別され得る。例えば、
【数１】
2011521557.tif 000003
等の相互相関が利用され得、式中、「ａ」が既知のＳＹＮＣ拡散シーケンス、「ｒ」が受信信号、「Ｎ」が拡散シーケンス「ａ」長である。
【数２】
2011521557.tif 000004
等の類似の相互相関が、各ＳＦＤ拡散シーケンスの反復の開始部を検出するために利用され得る。式中、「ｂ」が既知のＳＦＤ拡散シーケンス、「ｒ」が受信信号、「Ｍ」が拡散シーケンス「ｂ」長である。「ａ」および「ｂ」が優れた自己および相互相関特性を有する選択された拡散シーケンスである場合、非周期的／周期的自己相関は結果的に狭いメインローブおよび低レベルサイドローブとなる一方で、「ａ」と「ｂ」との間の周期的な相互相関はほぼ０となる。それ故、パケットの開始部は、Ｃ１信号におけるインパルスを検出することにより識別され得て、ＳＹＮＣ／ＳＦＤ境界は、Ｃ２信号におけるインパルスを検出することにより識別され得る。一対の補完的な（又は相補的な）ゴーレイ拡散シーケンスの選択は、これらの結果を生じ得る。
【誤訳訂正６】
【訂正対象書類名】明細書
【訂正対象項目名】００２５
【訂正方法】変更
【訂正の内容】
【００２５】
図９は、ＳＹＮＣセグメントおよびＳＦＤセグメント用の異なる拡散シーケンスを用いたパケットにおける例示的な相互相関の結果を示す。例示するプリアンブル部は、ＳＹＮＣセグメント１５２およびＳＦＤセグメント１５４を示す。ＳＹＮＣセグメント１５２は、第一の拡散シーケンス「ａ」１５６を用いて伝送され、ＳＦＤセグメント１５４は、第二の拡散シーケンス「ｂ」１５８を用いて伝送される。ＳＹＮＣセグメント１５２およびＳＦＤセグメント１５４は、それら各々のカバーコード１６０，１６２において他のパラメータデータを搬送し得る。図９の２つのグラフは、補完的な（又は相補的な）ゴーレイ拡散シーケンスを用いた、〜１０ｄＢのＳＮＲを有する低遅延拡散チャネルシステムにおいて上述した式を用いた相互相関を示す。１６４に示すように、各拡散シーケンス「ａ」１５６の開始部は、受信信号と拡散シーケンス「ａ」との間の相互相関を示すＣ１信号におけるインパルス１６４によってマーク付けされる。１６６に示すように、各拡散シーケンス「ｂ」１５８の開始部は、受信信号と既知の拡散シーケンス「ｂ」との間の相互相関を示すＣ２信号におけるインパルス１６６によってマーク付けされる。それ故、パケットの開始部は、第一のＣ１インパルス１６４を検出することによって識別され得て、ＳＹＮＣ／ＳＦＤ境界は、第一のＣ２インパルス１６６を検出することによって識別され得る。
【誤訳訂正７】
【訂正対象書類名】明細書
【訂正対象項目名】００３０
【訂正方法】変更
【訂正の内容】
【００３０】
図１２は、ＳＦＤセグメントの最初の２つのスロットに伝送された補完的な（又は相補的な）カバーコードを有するパケットのプリアンブル部における例示的な拡散シーケンスおよびカバーコード設計を示す。示されたプリアンブル部は、ＳＹＮＣセグメント２０２およびＳＦＤセグメント２０４を例示する。例示的なＳＹＮＣセグメント２０２は、第一の拡散シーケンス「ａ」２０６を用いて伝送され、２１０で示す一定値「１」であるＳＹＮＣカバーコード２０８を搬送する。ＳＦＤセグメント２０４も、２１４で示す拡散シーケンス「ａ」を用いて伝送される。ＳＦＤセグメントカバーコード２１２は、２１６で示す最初の２つのセグメント部における値「−１」を含み、そして、２１８で示す有意なパラメータデータを搬送する他のカバーコードの値を含み得る。ＳＹＮＣカバーコードは、１以外の値に設定され得る。しかしながら、この例におけるＳＹＮＣカバーコードの全ては同一であり、ＳＦＤセグメントの最初の２つのカバーコード部は、ＳＹＮＣカバーコードの値を補完（又は相補）する。
【誤訳訂正８】
【訂正対象書類名】明細書
【訂正対象項目名】００３１
【訂正方法】変更
【訂正の内容】
【００３１】
図１２のパケットプリアンブル構造は、フレームタイミングのためのＳＹＮＣ／ＳＦＤ境界の識別に困難を有し得る、低感受性が問題となるシステムにおいて利点となり得る。ＳＹＮＣセグメントカバーコード部２０８を補完（又は相補）する２つのＳＦＤセグメントカバーコード部の使用は、ＳＹＮＣセグメントの最後のカバーコードとＳＦＤセグメントの最初のカバーコード部との間の大きな位相シフトをより長期間維持することによって、ＳＹＮＣ／ＳＦＤ境界の検出を支援し得る。
【誤訳訂正９】
【訂正対象書類名】明細書
【訂正対象項目名】００３２
【訂正方法】変更
【訂正の内容】
【００３２】
図１３は、ＳＹＮＣセグメントおよびＳＦＤセグメント並びにＳＦＤセグメントの最初の２つの部分に伝送された補完的な（又は相補的な）カバーコードのための異なる拡散シーケンスを有するパケットのプリアンブル部における例示的な拡散シーケンスおよびカバーコード設計を示す。このパケットプリアンブルフォーマットは、図１２を参照して上述した利点と、ＳＹＮＣセグメントおよびＳＦＤセグメント用の異なる拡散シーケンスの使用の恩恵とを兼ね備える。図１３は、ＳＹＮＣセグメント２２２およびＳＦＤセグメント２２４を示す。ＳＹＮＣセグメント２２２は、拡散シーケンス「ａ」２２６を用いて伝送され、ＳＹＮＣセグメント２２２の全ての部分のために、例えば「１」の値を繰り返すカバーコード２２８を搬送する。ＳＦＤセグメント２２４は、第二の拡散シーケンス「ｂ」２３４を用いて伝送される。複数の「−１」を２３６で示す、ＳＦＤセグメント２２４のカバーコード２３２の最初の２つの部分は、反復ＳＹＮＣカバーコード２２８を補完（又は相補）する。ＳＦＤセグメント２２４の残りのカバーコード２３８は、他の有意なパラメータデータを伝送するために用いられ得る。図１３に示す、プリアンブルフォーマットを有するパケットを受信する受信器は、フレームタイミングのためのＳＹＮＣ／ＳＦＤ境界を識別するために、異なる拡散シーケンスおよび補完的な（又は相補的な）カバーコードのいずれか一方または両方を用い得る。両方の識別子の使用は、境界の識別を向上し得、個々の識別子の１つを単独で使用するよりも優れた実行能力をもたらす。
【誤訳訂正１０】
【訂正対象書類名】明細書
【訂正対象項目名】００３５
【訂正方法】変更
【訂正の内容】
【００３５】
ここに記載された説明は、本発明を開示し、最良の態様を含み、さらに当業者が本発明を生成および利用できる例を用いている。本明細書に記載されたシステムおよび方法が、他の構造においても等しく適用され得ることに留意されたい。例えば、提案されたフレームフォーマット、送信器、および受信器は、将来のＷＬＡＮシステム、ＷｉＭａｘ、ＷＰＡＮ、セルラー方式等の６０ギガヘルツシステムに限定されない他の無線システム用に延長され得る。システムは、抽出されたデータを保存するように構成されたコンピュータ可読のメモリをさらに含み得る。本発明の特許可能な範囲は、当業者が思いつく他の例を含み得る。
（項目１）
無線ネットワーク上で伝送されたデータパケットからデータを抽出する方法であって、
プリアンブル部およびペイロード部を有するデータパケットを受信することと、
第一のタイミング信号を生成するために、上記プリアンブル部を第一の既知の拡散シーケンスと相互相関することと、
フレームタイミング信号を生成するために、上記プリアンブル部を第二の既知の拡散信号と相互相関することと、
上記第一のタイミング信号におけるインパルスを検出することと、
上記第一のタイミング信号の上記検出したインパルスに基づいて、第一のタイミングパラメータを設定することと、
上記フレームタイミング信号におけるインパルスを検出することと、
上記フレームタイミング信号における上記検出したインパルスに基づいて、フレームタイミングパラメータを設定することと、
上記設定した第一のタイミングパラメータおよび上記設定したフレームタイミングパラメータに従って、上記受信したペイロード部からデータを抽出することと、を含む方法。
（項目２）
上記第一の既知の拡散シーケンスを用いて伝送された上記プリアンブル部の第一部は、上記プリアンブル部の同期セグメントに対応し、
上記第二の既知の拡散シーケンスを用いて伝送された上記プリアンブル部の第二部は、上記プリアンブル部の開始フレームデリミタセグメントに対応する、項目１に記載の方法。
（項目３）
上記フレームタイミングパラメータ以外のパラメータは、上記開始フレームデリミタセグメントの開始部において、上記第二の既知の拡散シーケンスの第一の反復中に伝送されたカバーコードを用いて設定される、項目２に記載の方法。
（項目４）
第一のカバーコードは、上記同期セグメントの全範囲において反復され、
第二のカバーコードは、上記開始フレームデリミタセグメントの上記開始部において二度反復され、
上記第二のカバーコードが、上記第一のカバーコードを補完する、項目２に記載の方法。
（項目５）
上記フレームタイミングパラメータ以外の１つ以上のパラメータは、上記二度反復された第二のカバーコードに続いて、上記第二の既知の拡散シーケンスにより伝送されたカバーコードから抽出される、項目４に記載の方法。
（項目６）
上記第一の既知の拡散シーケンスおよび上記第二の既知の拡散シーケンスの各々が、送信器および受信器の両方に既知である疑似乱数である、項目１に記載の方法。
（項目７）
上記第一の既知の拡散シーケンスが、第一のゴーレイシーケンスであり、
上記第二の既知の拡散シーケンスが、第二のゴーレイシーケンスであり、上記第二のゴーレイシーケンスが、上記第一のゴーレイシーケンスの補完的なシーケンスである、項目１に記載の方法。
（項目８）
上記プリアンブル部において上記第一の既知の拡散シーケンスまたは上記第二の既知の拡散シーケンスによって伝送されたカバーコードから１つ以上の物理層パラメータを抽出することをさらに含む、項目１に記載の方法。
（項目９）
上記１つ以上の物理層パラメータが、自動利得制御パラメータ、単一キャリア／多重キャリアパラメータ、ヘッダ速度パラメータ、ネットワークＩＤナンバーパラメータ、およびピコネットＩＤナンバーから成る群から選択されたパラメータを含む、項目８に記載の方法。
（項目１０）
上記第一のタイミング信号Ｃ１（ｎ）は、以下の式
（数３）
2011521557.tif 000005
に従って算出され、
式中、
ａは、上記第一の既知の拡散シーケンスであり、
ｒは、受信信号であり、
Ｎは、上記第一の既知の拡散シーケンス長であり、
上記フレームタイミング信号Ｃ２（ｎ）は、以下の式に従って算出され、
（数４）
2011521557.tif 000006
式中、
ｂは、上記第二の既知の拡散シーケンスであり、
Ｍは、上記第二の既知の拡散シーケンス長である、項目１に記載の方法。
（項目１１）
上記データパケットが、広帯域無線システム、６０ギガヘルツ広帯域無線システム、ＷＬＡＮ、ＷｉＭａｘ、ＷＰＡＮ、セルラーシステムから成る群から選択された無線システム上で受信される、項目１に記載の方法。
（項目１２）
データパケットからデータを抽出するように構成された無線受信器であって、
プリアンブル部およびペイロード部を有するデータパケットを受信するアンテナと、
記号タイミング信号を生成するために、上記プリアンブル部を第一の既知の拡散シーケンスと相互相関するように構成された第一の相互相関器と、
フレームタイミング信号を生成するために、上記プリアンブル部を第二の既知の拡散シーケンスと相互相関するように構成された第二の相互相関器と、
上記記号タイミング信号におけるインパルスを検出するように構成された第一のインパルス検出器と、
上記フレームタイミング信号におけるインパルスを検出するように構成された第二のインパルス検出器と、
上記第一のインパルス検出器による上記記号タイミング信号における上記検出したインパルスに基づいて、記号タイミングパラメータを設定するように構成され、かつ上記第二のインパルス検出器により検出された、上記フレームタイミング信号における上記検出したインパルスに基づいて、フレームタイミングパラメータを設定するように構成されたパラメータ設定器と、
上記設定した記号タイミングパラメータおよび上記設定したフレームタイミングパラメータに従って、上記受信したペイロード部からデータを抽出するように構成されたデータ抽出器と
を備える無線受信器。
（項目１３）
上記第一の既知の拡散シーケンスを用いて伝送された上記プリアンブル部の第一部は、上記プリアンブル部の同期セグメントに対応し、
上記第二の既知の拡散シーケンスを用いて伝送された上記プリアンブル部の第二部は、上記プリアンブル部の開始フレームデリミタセグメントに対応する、項目１２に記載の受信器。
（項目１４）
上記フレームタイミングパラメータ以外のパラメータは、上記開始フレームデリミタセグメントの開始部において、上記第二の既知の拡散シーケンスの第一の反復中に伝送されたカバーコードを用いて設定される、項目１３に記載の受信器。
（項目１５）
第一のカバーコードは、上記同期セグメントの全範囲において反復され、
第二のカバーコードは、上記開始フレームデリミタセグメントの上記開始部において二度反復され、
上記第二のカバーコードが、上記第一のカバーコードを補完する、項目１４に記載の受信器。
（項目１６）
上記二度反復された第二のカバーコードの受信に続いて、上記第二の既知の拡散シーケンスを用いて伝送されたカバーコードから上記フレームタイミングパラメータ以外の１つ以上のパラメータを抽出するように構成されたカバーコードデコーダをさらに備える、項目１５に記載の受信器。
（項目１７）
上記第一の既知の拡散シーケンスおよび上記第二の既知の拡散シーケンスの各々が、送信器および受信器の両方に既知である疑似乱数である、項目１２に記載の受信器。
（項目１８）
上記第一の既知の拡散シーケンスが、第一のゴーレイシーケンスであり、
上記第二の既知の拡散シーケンスが、上記第一のゴーレイシーケンスを補完する第二のゴーレイシーケンスである、項目１７に記載の受信器。
（項目１９）
上記プリアンブル部において上記第一の既知の拡散シーケンスまたは上記第二の既知の拡散シーケンスを用いて伝送されたカバーコードから１つ以上の物理層パラメータを抽出するように構成されたカバーコードデコーダをさらに備える、項目１２に記載の受信器。
（項目２０）
上記１つ以上の物理層パラメータが、自動利得制御パラメータ、単一キャリア／多重キャリアパラメータ、ヘッダ速度パラメータ、ネットワークＩＤナンバーパラメータ、およびピコネットＩＤナンバーから成る群から選択されたパラメータを含む、項目１９に記載の受信器。